(57)【要約】【課題】着脱が容易であり、且つ固定構造が安定している電気コネクタモジュール及びこの電気コネクタモジュールを備えた電子装置を提供すること。【解決手段】本発明に係る電気コネクタモジュールは、電子装置に用いられ、且つ金属本体及び前記金属本体に装着される複数の導電端子を含む電気コネクタを備える。前記金属本体の２つの側面には、係止用突起がそれぞれ設けられ、前記電気コネクタは絶縁ボックス及び蓋体をさらに含み、前記絶縁ボックスは、収容空間と、それぞれ対向して設けられる２つの係合部及び２つの挟持用リブと、を備え、前記金属本体が前記収容空間の内部に収容されると、２つの前記係止用突起は２つの前記係合部にそれぞれ係合され、２つの前記挟持用リブは、前記係合部と前記係止用突起との係合方向に直交する方向に沿って前記金属本体を挟持し、前記蓋体は、前記収容空間の上方をカバーし、且つ前記導電端子に当接される。【選択図】図１
2014044951.tif 000002
【特許請求の範囲】
【請求項１】
電子装置に用いられ、且つ金属本体及び前記金属本体に装着される複数の導電端子を含む電気コネクタを備えた電気コネクタモジュールであって、
前記金属本体の２つの側面には係止用突起がそれぞれ設けられ、前記電気コネクタは絶縁ボックス及び蓋体をさらに含み、前記絶縁ボックスは、収容空間と、それぞれ対向して設けられた２つの係合部及び２つの挟持用リブと、を備え、前記金属本体が前記収容空間の内部に収容されると、２つの前記係止用突起は２つの前記係合部にそれぞれ係合され、２つの前記挟持用リブは、前記係合部と前記係止用突起との係合方向に直交する方向に沿って前記金属本体を挟持し、前記蓋体は、前記収容空間の上方をカバーし、且つ前記導電端子に当接される
ことを特徴とする電気コネクタモジュール。
【請求項２】
前記絶縁ボックスは、底壁と、前記底壁から対向するように垂直に延伸する２つの側壁と、２つの側壁を連接する端壁と、を備え、前記底壁、２つの前記側壁及び前記端壁が取り囲むことで、前記収容空間が形成され、前記蓋体は回路基板であり、前記収容空間の内部に収容された前記電気コネクタを遮蔽する
ことを特徴とする請求項１に記載の電気コネクタモジュール。
【請求項３】
２つの前記係合部は、２つの前記側壁の対向する表面の中央部にそれぞれ設けられ、各係合部は、間隔をあけて設けられた２つの係止用ブロックを含み、２つの前記係止用ブロックの間には、前記係止用突起と組み合せられる係止用凹所が形成されている
ことを特徴とする請求項２に記載の電気コネクタモジュール。
【請求項４】
前記絶縁ボックスの前記端壁と反対の一端には開口が形成され、２つの前記挟持用リブは、２つの前記側壁の内面に設けられ、且つ前記開口の両側に位置する
ことを特徴とする請求項２または３に記載の電気コネクタモジュール。
【請求項５】
前記金属本体は、２つの側面及びこの２つの側面を垂直に連接する２つの端面を備え、一方の前記端面にはジャックが設けられ、２つの前記係止用突起は２つの前記側面にそれぞれ突設される
ことを特徴とする請求項１から４のいずれか一項に記載の電気コネクタモジュール。
【請求項６】
貫通孔が設けられたハウジング及び前記ハウジングの内部に装着された請求項１から５のいずれか一項に記載の電気コネクタモジュールを備え、前記金属本体には、前記貫通孔に連通するジャックが設けられることを特徴とする電子装置。
【請求項７】
前記絶縁ボックスは、底壁と、前記底壁から垂直に延伸し、且つ互いに対向する２つの側壁と、２つの側壁を連接する端壁と、を備え、前記収容空間は、前記底壁、２つの前記側壁及び前記端壁により取り囲まれて形成され、
２つの前記側壁の間には前記端壁に対向する開口がさらに形成され、前記金属本体の前記ジャックが設けられた一端は前記開口に対応して位置する
ことを特徴とする請求項６に記載の電子装置。
【請求項８】
前記ハウジングは、底板及び前記底板の周縁を取り囲む側板を備え、前記貫通孔は前記側板に設けられ、前記絶縁ボックスの前記開口が設けられた一端は前記側板に当接され、前記ジャックは前記側板に設けられた前記貫通孔と位置合わせされる
ことを特徴とする請求項７に記載の電子装置。
【発明の詳細な説明】
【技術分野】
【０００１】
本発明は、電気コネクタモジュール及びこの電気コネクタモジュールを備えた電子装置に関するものである。
【背景技術】
【０００２】
携帯電話機、マルチメディアプレーヤ（ＭＰ３プレーヤ等）の電子装置に対して、外部接続部品（例えば、イヤホン及びデータ線等）を度々挿入接続する。従って、前記電子装置の本体部には、対応する電気コネクタが設けられている。また、イヤホン等の外部接続部品を電気コネクタに容易に挿入するために、前記電子装置のハウジングには開口が設けられている。
【０００３】
従来の電気コネクタは、一般的に金属本体、絶縁ボックス及び複数の導電端子を備える。前記金属本体は中空のボックスであり、前記導電端子を装着するために用いられる。前記絶縁ボックスは、一般的に閉鎖されているか又は２つの分離可能なカバーからなり、前記金属本体をその内部に含み、半田付け或いは係止の方法によって前記金属本体と互い固定される。さらに、前記絶縁ボックスは、携帯電話機のハウジングの内部に固定される。しかし、このような構造はより多くの空間を占有し、また、前記導電端子を修理する或いは交換する時には、電気コネクタ全体を取り外さなければならないため、電気コネクタの着脱に面倒であり時間及びコストの浪費を招く。
【発明の概要】
【発明が解決しようとする課題】
【０００４】
そこで、本発明は以上の問題点に鑑みてなされたものであり、着脱が容易であり、且つ固定構造が安定している電気コネクタモジュール及びこの電気コネクタモジュールを備えた電子装置を提供することを目的とする。
【課題を解決するための手段】
【０００５】
上記の課題を解決するために、本発明に係る電気コネクタモジュールは、電子装置に用いられ、且つ金属本体及び前記金属本体に装着される複数の導電端子を含む電気コネクタを備える。前記金属本体の２つの側面には係止用突起がそれぞれ設けられ、前記電気コネクタは絶縁ボックス及び蓋体をさらに含み、前記絶縁ボックスは、収容空間と、それぞれ対向して設けられた２つの係合部及び２つの挟持用リブと、を備え、前記金属本体が前記収容空間の内部に収容されると、２つの前記係止用突起は２つの前記係合部にそれぞれ係合され、２つの前記挟持用リブは、前記係合部と前記係止用突起との係合方向に直交する方向に沿って前記金属本体を挟持し、前記蓋体は前記収容空間の上方をカバーし、且つ前記導電端子に当接される。
【発明の効果】
【０００６】
従来の技術とは異なり、本発明の電気コネクタモジュールの電気コネクタは、係合部及び挟持用リブを介して、絶縁ボックスの収容空間内に安定して装着される。また、電気コネクタを取り外す場合、電気コネクタモジュールの蓋体を開けた後、電気コネクタを前記絶縁ボックスの収容空間の内部から取り出すだけで良いので、着脱が容易である。
【図面の簡単な説明】
【０００７】
【図１】本発明の電気コネクタモジュールと電子装置のハウジングとの分解図である。
【図２】図１に示した絶縁ボックスの構造を示す図である。
【図３】図１に示した電気コネクタモジュールの組立図である。
【図４】図３に示した電気コネクタモジュールが電子装置のハウジングに装着されている状態を示す図である。
【発明を実施するための形態】
【０００８】
図１及び図２に示すように、本発明の実施形態に係る電気コネクタモジュールは、携帯電話機等の電子装置に適用され、イヤホン等の外部接続部品に電気的に接続するために用いられる。前記電子装置はハウジング１０を備える。ハウジング１０は、底板１１と、底板１１の周縁を取り囲む側板１２と、回路基板（図示せず）と、を備える。側板１２には、貫通孔１３が設けられている。前記電気コネクタモジュールは、絶縁ボックス２０と、電気コネクタ３０と、蓋体４０と、を備える。絶縁ボックス２０は、電気コネクタ３０をその内部に収容する。電気コネクタ３０は、ハウジング１０の側板１２に設けられた貫通孔１３を通して外部に連通する。
【０００９】
絶縁ボックス２０は、半開の筐体であり、底壁２１と、対向する２つの側壁２２と、端壁２３と、を備える。端壁２３及び２つの側壁２２は、底壁２１の周縁部を囲むように設けられている。また、端壁２３の両端は２つの側壁２２にそれぞれ垂直に連接されるので、底壁２１、２つの側壁２２及び端壁２３は共同で収容空間を形成する。絶縁ボックス２０の端壁２３の反対側の一端には開口２４が形成されている。底壁２１の収容空間の反対側の面には、弾性のクッションマット２１１が装着されている。
【００１０】
絶縁ボックス２０は、２つの係合部２５と、２つの挟持用リブ２６と、２つの当止部２７と、をさらに備える。２つの係合部２５は、２つの側壁２２の内表面の中央部にそれぞれ対向して設けられている。また、各係合部２５は、側壁２２の表面において間隔をあけて設けられた２つの係止用ブロック２５１を含む。２つの係止用ブロック２５１の間には、係止用凹所２５２が形成されている。２つの挟持用リブ２６は、２つの側壁２２の内面に設けられ、且つ開口２４の両側に位置する。２つの当止部２７は、端壁２３の開口２４に向かう表面において、間隔をあけてそれぞれ設けられている。２つの側壁２２における開口２４の両側の端面には、底壁２１に直交する方向に沿って延在する２つの位置決めピン２８がさらに設けられている。
【００１１】
電気コネクタ３０は、金属本体３１及び複数の導電端子３２を備える。金属本体３１は、絶縁ボックス２０の収容空間の内部に収容される。また、電気コネクタ３０は、２つの側面３１１及びこの２つの側面３１１に垂直に連接された２つの端面３１２を備える。導電端子３２は、側面３１１及び端面３１２により取り囲まれて形成された空間内に装着される。２つの端面３１２の内の一方には、プラグ等を挿入するためのジャック３１３が設けられている。２つの側面３１１には、係合部２５内に係合される係止用突起３３がそれぞれ設けられている。蓋体４０は回路基板であることが可能であり、絶縁ボックス２０の上方をカバーして、且つ電気コネクタ３０の複数の導電端子３２と互いに当止して、電気的に導通する。蓋体４０の一端には、絶縁ボックス２０の位置決めピン２８と組み合せられる位置決め凹溝４１が設けられている。
【００１２】
以下、図３及び図４を参照しながら、本発明の電気コネクタモジュールを電子装置のハウジング１０に取り付ける場合のステップについて詳細に説明する。
【００１３】
先ず、ジャック３１３を有する端面３１２を開口２４に対応させて位置決めする。この時、側面３１１の係止用突起３３は側壁２２の内面の係止用凹所２５２内にそれぞれ嵌合され、金属本体３１のジャック３１３に対向する端面３１２（ジャック３１３が設けられていない端面３１２）が絶縁ボックス２０の当止部２７に当止されるように、電気コネクタ３０を絶縁ボックス２０の上方から絶縁ボックス２０の収容空間内に挿入して固定する。これにより、２つの挟持用リブ２６は、Ｘ軸方向に沿って金属本体３１の２つの側面３１１を挟持し、且つ摩擦力を介して金属本体３１を絶縁ボックス２０の内部に固定する。また、各側壁２２の２つの係止用ブロック２５１は、金属本体３１の係止用突起３３と嵌合されることで金属本体３１のＹ軸方向に沿う動きを阻止して金属本体３１を保持する。
【００１４】
次に、絶縁ボックス２０をハウジング１０に装着する。この時、ジャック３１３と貫通孔１３とを位置合わせするように絶縁ボックス２０の開口２４を有する一端を側板１２に当接させ、且つ絶縁ボックス２０のクッションマット２１１をハウジング１０の底板１１に当接させる。これにより、電子装置のハウジング１０が衝突を受けた時、クッションマット２１１は電気コネクタ３０に対して保護する役割を果たす。また、ジャック３１３は貫通孔１３に連通されるので、プラグ等を容易に貫通孔１３からジャック３１３内に挿入して電気コネクタ３０と電気的に接続することができる。
【００１５】
最後に、蓋体４０によって絶縁ボックス２０の上方をカバーして、蓋体４０を電気コネクタ３０の導電端子３２に当接させ、且つ絶縁ボックス２０の位置決めピン２８を蓋体４０の位置決め凹溝４１内に係合させる。以上により、前記電気コネクタモジュールの電子装置のハウジング１０に対する装着が完了する。
【００１６】
電気コネクタ３０を取り外す時は、蓋体４０を開けて、電気コネクタ３０を絶縁ボックス２０の収容空間から取り出せば良い。
【００１７】
上記の実施形態から分かるように、本発明において、電気コネクタ３０は、係合部２５及び挟持用リブ２６により絶縁ボックス２０の内部に安定して取り付けることができ、且つ電気コネクタ３０の絶縁ボックス２０に対する着脱操作も簡単である。
【００１８】
以上、本発明の好適な実施形態について詳細に説明したが、本発明は前記実施形態に限定されるものではなく、本発明の範囲内で種々の変形又は修正が可能であり、該変形又は修正も本発明の特許請求の範囲内に含まれるものであることは言うまでもない。
【符号の説明】
【００１９】
１０      ハウジング
１１      底板
１２      側板
１３      貫通孔
２０      絶縁ボックス
２１      底壁
２１１    クッションマット
２２      側壁
２３      端壁
２４      開口
２５      係合部
２５１    係止用ブロック
２５２    係止用凹所
２６      挟持用リブ
２７      当止部
２８      位置決めピン
３０      電気コネクタ
３１      金属本体
３１１    側面
３１２    端面
３１３    ジャック
３２      導電端子
３３      係止用突起
４０      蓋体
４１      位置決め凹溝
【図１】
2014044951.tif 000003
【図２】
2014044951.tif 000004
【図３】
2014044951.tif 000005
【図４】
2014044951.tif 000006